(57)【要約】【課題】外部表示装置への出力に際しての解像度に制限のあるコンテンツを、携帯情報端末と外部表示装置との間で、どのように取り扱うかを具体的に開示する。【解決手段】スマートフォン（１）は、コンテンツ映像（１２１）を表示部（１３）に表示させる場合の該コンテンツ映像の画素数が、該コンテンツ映像について外部表示装置での表示が許可される画素数以上であると、該コンテンツ映像をテレビ（２）に出力しない。【選択図】図１
2015055682.tif 000002
【特許請求の範囲】
【請求項１】
自端末の画面に表示すべき、コンテンツを一部に含む画像を外部表示装置に出力して表示させる携帯情報端末であって、
上記コンテンツについて外部表示装置での表示が許可されている画素数である許可画素数を取得する許可画素数取得手段と、
上記コンテンツを自端末の画面に表示させる場合の上記コンテンツの画像の画素数である表示画素数を取得する表示画素数取得手段と、
上記表示画素数取得手段によって取得する上記表示画素数が、上記許可画素数取得手段によって取得する上記許可画素数以上である場合、上記コンテンツの上記外部表示装置への出力を禁止する出力可否判定手段と、を備える
ことを特徴とする携帯情報端末。
【請求項２】
携帯情報端末と、該携帯情報端末からコンテンツを含むデータを取得して自装置の表示画面に該コンテンツを表示する外部表示装置とを含む表示管理システムであって、
上記携帯情報端末は、上記外部表示装置が、自装置の表示画面に表示させるコンテンツの画像サイズを管理するサイズ管理機能を備えていないと判定すると、上記データの上記外部表示装置への出力を禁止し、
上記外部表示装置は、自装置の表示画面で表示させた場合の上記コンテンツの画像の画素数が、上記コンテンツについて外部表示装置での表示が許可されている画素数である許可画素数以上であると、上記コンテンツを表示しない
ことを特徴とする表示管理システム。
【請求項３】
上記データは、上記コンテンツと上記コンテンツの上記許可画素数とである
ことを特徴とする請求項２に記載の表示管理システム。
【請求項４】
上記データは、上記コンテンツの上記許可画素数と、上記コンテンツを上記携帯情報端末の画面に表示させた場合に該画面の全体に表示される画像と、該画面の全体に表示される画像に対して上記コンテンツの画像が占める割合と、であり、
上記外部表示装置は、上記携帯情報端末から上記データを取得すると、上記携帯情報端末の画面の全体に表示される上記画像を自装置の表示画面に表示させた場合の該画像の画素数に、上記割合を乗じた値が、上記許可画素数以上である場合、上記コンテンツを表示しない
ことを特徴とする請求項２に記載の表示管理システム。
【請求項５】
上記データは、上記コンテンツの上記許可画素数と、上記コンテンツを上記携帯情報端末の画面に表示させた場合に該画面の全体に表示される画像と、該画面の全体に表示される画像において上記コンテンツの画像の表示が開始される位置である表示開始位置及び表示が終了する位置である表示終了位置とであり、
上記外部表示装置は、上記携帯情報端末から上記データを取得すると、上記携帯情報端末の画面の全体に表示される上記画像を自装置の表示画面に表示させた場合の該画像における、上記表示開始位置及び表示終了位置によって指定される領域の画素数が、上記許可画素数以上である場合、上記コンテンツを表示しない
ことを特徴とする請求項２に記載の表示管理システム。
【発明の詳細な説明】
【技術分野】
【０００１】
本発明は携帯情報端末、および表示管理システムに関する。
【背景技術】
【０００２】
近年、著作物のデジタル情報の流通が発展しており、様々な著作権管理技術が開発されている。特許文献１には、従来の著作権管理ルールである、コピー禁止、コピーワンス、コピーフリーに、「記録時と同等の画質で出力される映像信号はコピー禁止だが、記録時に比べ十分に画質を低下させた映像信号にはコピーを許可する新しい著作権管理ルール」を追加することが記載されている。
【先行技術文献】
【特許文献】
【０００３】
【特許文献１】特開２０１０−６３１６７号公報（２０１０年３月１８日公開）
【発明の概要】
【発明が解決しようとする課題】
【０００４】
本願発明者は、独自に、スマートフォン等の携帯情報端末で取得したコンテンツについて、記録およびテレビ等の外部表示装置での再生に対し、外部表示装置による再生を制限する、新しい著作権管理方法を検討している。これまで、解像度に制限のあるコンテンツを、携帯情報端末と外部表示装置との間で、どのように取り扱うかを具体的に開示する文献は存在しない。
【０００５】
本発明は、上記の問題を解決するためになされたものであり、その目的は、コンテンツに、外部表示装置への出力に際しての解像度の制限を設定し、当該コンテンツを、携帯情報端末と外部表示装置との間で、どのように取り扱うかを具体的に開示することにある。
【課題を解決するための手段】
【０００６】
上記の課題を解決するために、本発明の一態様に係る携帯情報端末は、自端末の画面に表示すべき、一部にコンテンツを含む画像を外部表示装置に出力して表示させる携帯情報端末であって、上記コンテンツについて外部表示装置での表示が許可されている画素数である許可画素数を取得する許可画素数取得手段と、上記コンテンツを自端末の画面に表示させる場合の上記コンテンツの画像の画素数である表示画素数を取得する表示画素数取得手段と、上記表示画素数取得手段によって取得する上記表示画素数が、上記許可画素数取得手段によって取得する上記許可画素数以上である場合、上記コンテンツの上記外部表示装置への出力を禁止する出力可否判定手段と、を備えている。
【０００７】
また、本発明の一態様に係る表示管理システムは、携帯情報端末と、該携帯情報端末からコンテンツを含むデータを取得して自装置の表示画面に該コンテンツを表示させる外部表示装置とを含む表示管理システムであって、上記携帯情報端末は、上記外部表示装置が、自装置の表示画面に表示させるコンテンツの画像サイズを管理するサイズ管理機能を備えていないと判定すると、上記データの上記外部表示装置への出力を禁止し、上記外部表示装置は、自装置の表示画面で表示させた場合の上記コンテンツの画像の画素数が、上記コンテンツについて外部表示装置での表示が許可されている画素数である許可画素数以上であると、上記コンテンツを表示しないことを特徴としている。
【発明の効果】
【０００８】
本発明の一態様によれば、コンテンツに、外部表示装置への出力に際しての解像度の制限を設定し、当該コンテンツを、携帯情報端末と外部表示装置との間で、どのように取り扱うかを具体的に開示することができる、という効果を奏する。
【図面の簡単な説明】
【０００９】
【図１】本発明の実施形態１に係るスマートフォンの機能ブロック図である。
【図２】図１に示すスマートフォンが、自端末で表示しているコンテンツ映像を、テレビに出力して、テレビに表示させるという状況を示す図である。
【図３】本発明の実施形態１に係るフローチャートである。
【図４】本発明の実施形態２に係るスマートフォンの機能ブロック図である。
【図５】本発明の実施形態２に係るフローチャートである。
【図６】本発明の実施形態３に係るスマートフォンの機能ブロック図である。
【図７】本発明の実施形態３に係るフローチャートである。
【図８】本発明の実施形態４に係るスマートフォンの機能ブロック図である。
【図９】本発明の実施形態４に係るフローチャートである。
【発明を実施するための形態】
【００１０】
〔実施形態１〕
以下、本発明の一実施形態について、図１〜図３を参照して説明する。図１は、本実施の形態に係るスマートフォン１（携帯情報端末）の概略構成を示している。スマートフォン１は、インターネット等を介して取得したコンテンツ映像１２１（コンテンツ）を、テレビ２（外部表示装置）に出力してテレビ２の表示画面に表示させる。なお、本実施形態に係る携帯情報端末はスマートフォンに限定されず、コンテンツを取得し、該コンテンツを外部の表示装置に送信して表示させる機能を備えたあらゆる携帯情報端末に適用可能である。例えば、スマートフォン１の代わりとして、携帯電話、ＰＤＡ（Personal Data Assistant）、タブレットＰＣ等の携帯情報端末を広く採用できる。また、本実施形態に係るテレビ２は、スマートフォン１からコンテンツを取得し再生することのできる表示装置であればよい。ここで、スマートフォン１が取得し、テレビ２の表示画面に表示させようとするコンテンツ映像１２１に対して、コンテンツ映像１２１の著作権者・提供者等は、外部表示装置で表示させてもよい画素数である許可画素数１２２を設定するものとする。スマートフォン１の概要について説明しておけば、以下の通りである。すなわち、スマートフォン１は、テレビ２に出力してテレビ２の表示画面に表示させようとするコンテンツ映像１２１について、表示部１３（自端末の画面）に表示させる場合のコンテンツ映像１２１の画像サイズ（画素数）を算出する。そして、表示部１３に表示させる場合のコンテンツ映像１２１の画素数が、コンテンツ映像１２１の許可画素数１２２以上である場合、コンテンツ映像１２１のテレビ２への出力を禁止する。従って、スマートフォン１は、外部表示装置への出力に際しての解像度に制限のあるコンテンツを、携帯情報端末と外部表示装置との間で、いかに取り扱うかを具体的に開示することができる。また、スマートフォン１は、表示部１３の全体に表示される画像の画素数ではなく、表示部１３に表示されるコンテンツ映像１２１の画素数に基づいて、コンテンツ映像１２１を含むデータのテレビ２への出力可否を判定する。ここで、自端末の画面全体に表示される画像の画像サイズ（画素数）と、コンテンツの許可画素数とを比較して、自端末が取得したコンテンツのテレビへの出力可否を判定する場合、自端末の画面の一部に表示するコンテンツの画像サイズ（画素数）が該コンテンツの許可画素数未満であっても、自端末の画面全体に表示する画像の画素数が該許可画素数以上であると、出力不可と判定してしまう。これに対し、スマートフォン１は、テレビ２に出力しようとするコンテンツ映像１２１について、表示部１３に表示させる場合のコンテンツ映像１２１の画素数が、許可画素数１２２未満であれば、表示部１３の全体に表示される画像の画素数が許可画素数１２２以上であっても、コンテンツ映像１２１をテレビ２に出力して表示させることができる。
【００１１】
図２は、スマートフォン１が、自端末で表示しているコンテンツ映像１２１を、テレビ２に出力して、テレビ２に表示させるという状況を示す図である。以下の説明では、表示部１３全体に表示される画像の長辺にＸ軸を、短辺にＹ軸を設定し、図２において表示部１３全体に表示されている画像の左上の点を原点として、右側がＸ軸の正方向、下側がＹ軸の正方向であるとする。また、（ＸＭＯ，ＹＭＯ）は、スマートフォン１の表示部１３全体に表示される画像の画像サイズであり、つまり、スマートフォン１の表示部１３全体に表示される画像の長辺及び短辺の画素数、すなわち（横の画素数，縦の画素数）を示す。（Ｘｏｕｔ，Ｙｏｕｔ）は、スマートフォン１の表示部１３に表示されるコンテンツ映像１２１の画像サイズであり、表示部１３におけるコンテンツ映像１２１の（横の画素数，縦の画素数）を示す。（ＸＳ_ＰＯＳ，ＹＳ_ＰＯＳ）は、表示部１３全体に表示される画像における、コンテンツ映像１２１の画像の表示が開始される位置である表示開始位置の（Ｘ座標，Ｙ座標）を示す。（ＸＥ_ＰＯＳ，ＹＥ_ＰＯＳ）は、表示部１３全体に表示される画像における、コンテンツ映像１２１の画像の表示が終了する位置である表示終了位置の（Ｘ座標，Ｙ座標）を示す。（ＸＭＯ_ＴＶ，ＹＭＯ_ＴＶ）は、テレビ２の表示画面に表示される、スマートフォン１の表示部１３全体に表示される画像の、画像サイズ（横及び縦の画素数）であり、（Ｘｏｕｔ_ＴＶ，Ｙｏｕｔ_ＴＶ）は、テレビ２の表示画面に表示されるコンテンツ映像１２１の画像サイズである。なお、スマートフォン１は、コンテンツ映像１２１を表示部１３に表示させていない状況で、コンテンツ映像１２１を、テレビ２に出力して、テレビ２に表示させることができる。また、スマートフォン１は、コンテンツ映像１２１を表示部１３に表示させていない状況で、コンテンツ映像１２１を表示部１３に表示させた場合に表示部１３の全体に表示されるはずの画面を、テレビ２に出力して表示させることもできる。
【００１２】
（１．構成）図１を参照して、スマートフォン１の構成を説明する。図示の通り、スマートフォン１は、コンテンツ取得部１１、制御部１０、記憶部１２、表示部１３、及び出力部１４を備えている構成である。さらに、スマートフォン１は、図示しないが、タッチパネル、音声入力部、音声出力部、ＧＰＳ（Global Positioning System）受信部等、スマートフォンが標準的に備えている各種機能を備えていてもよい。コンテンツ取得部１１は、インターネット等を介して、コンテンツ情報１２０を取得し、取得したコンテンツ情報１２０を記憶部１２に格納する。表示部１３には、後述する表示制御部１０２による制御に従って、コンテンツ映像１２１を含む画像が表示される。出力部１４は、後述する出力可否判定部１０３の判定結果に基づいて、スマートフォン１がテレビ２に表示させるコンテンツ映像１２１に係るデータを、テレビ２に出力する。記憶部１２は、ＨＤＤ（Hard Disc Drive）、フラッシュメモリ等の不揮発性の記憶装置からなり、コンテンツ情報１２０を記憶する。なお、記憶部１２は、ＲＡＭ（Random Acceess Memory）等の揮発性の記憶領域をさらに有してもよい。この領域は、制御部１０が実行する各種処理の過程で演算に使用するデータ及び演算結果等を一時的に記憶する作業領域として利用される。
【００１３】
コンテンツ情報１２０は、コンテンツ映像１２１本体に加えて、コンテンツ映像１２１の許可画素数１２２を含む。許可画素数１２２は、コンテンツ映像１２１について、テレビ２等の外部表示装置での表示が許可される解像度（横の画素数×縦の画素数）であり、例えば、（Ｘｏｕｔ_ＭＡＸ,Ｙｏｕｔ_ＭＡＸ）＝（４００，２００）といった形式で示すことができる。（Ｘｏｕｔ_ＭＡＸ,Ｙｏｕｔ_ＭＡＸ）＝（４００，２００）という例は、外部表示装置で表示させた場合のコンテンツ映像１２１の、長辺の画素数が４００未満であり、かつ短辺の画素数が２００未満であるとき、コンテンツ映像１２１を該外部表示装置で表示させることが許可される、ということを示す。コンテンツ映像１２１は、映像コンテンツの実体データであり、スマートフォン１が再生可能な形式で記録されている。ただし、コンテンツ情報１２０は映像コンテンツに限定されず、例えば、画像コンテンツ、画像を含む音楽コンテンツなどであってもよい。なお、本発明はこれに限定されず、許可画素数取得部１０１が、コンテンツ情報１２０について、許可画素数１２２を取得可能になっていればよい。例えば、コンテンツ情報１２０に紐付けされているコンテンツ映像１２１のライセンス情報中に許可画素数１２２を含んでもよいし、コンテンツ情報１２０に、許可画素数１２２を取得するための情報（例えば、ネットワークから許可画素数１２２を取得するためのＵＲＬ等）が含まれていてもよい。
【００１４】
制御部１０は、スマートフォン１全体を統括して制御するものであり、ＣＰＵ（Central Processing Unit）等で構成できる。制御部１０は、機能ブロックとして、許可画素数取得部１０１（許可画素数取得手段）、表示制御部１０２、出力可否判定部１０３（出力可否判定手段）、及び表示画素数取得部１０４（表示画素数取得手段）を備える構成である。許可画素数取得部１０１は、コンテンツ情報１２０から、コンテンツ映像１２１の許可画素数１２２を取得する。表示制御部１０２は、コンテンツ映像１２１を表示部１３に表示する。表示画素数取得部１０４は、表示制御部１０２から、コンテンツ映像１２１を表示部１３に表示した場合のコンテンツ映像１２１の横及び縦の画素数である表示画素数（Ｘｏｕｔ，Ｙｏｕｔ）を取得する。なお、表示画素数取得部１０４は、表示制御部１０２が実際に表示部１３にコンテンツ映像１２１を表示させていない場合であっても、コンテンツ映像１２１を表示部１３に表示させた場合に想定される画素数を、表示制御部１０２から取得することができる。出力可否判定部１０３は、表示画素数取得部１０４の取得する表示画素数が、許可画素数取得部１０１の取得する許可画素数１２２以上である場合、コンテンツ映像１２１を含むデータをテレビ２に出力することを禁止する。つまり、ＸｏｕｔがＸｏｕｔ_ＭＡＸ以上であり、またはＹｏｕｔがＹｏｕｔ_ＭＡＸ以上である場合、出力可否判定部１０３は、コンテンツ映像１２１の外部出力を禁止する。
【００１５】
（２．処理の流れ）図３に示すフローを用いて、スマートフォン１による、テレビ２へのコンテンツ映像１２１等のデータ出力の可否判定に関する処理の一例を説明する。スマートフォン１がコンテンツ映像１２１を再生していない、つまり表示部１３に表示させていない場合（Ｓ１−１でＮＯ）、スマートフォン１は、表示部１３に表示させている画像を、テレビ２に出力してもよい（Ｓ４）。スマートフォン１がコンテンツ映像１２１を表示部１３に表示させている場合（Ｓ１−１でＹＥＳ）、スマートフォン１はさらに、表示部１３に表示させている画像をテレビ２に出力しようとしているか（Ｓ１−２）を判定する。スマートフォン１がコンテンツ映像１２１を含むデータを、テレビ２へと出力しようとしていない場合（Ｓ１−２でＮＯ）、スマートフォン１は、以下に説明するデータ出力の可否判定を実行しない。他方、スマートフォン１がコンテンツ映像１２１を含むデータを、テレビ２へと出力しようとしている場合（Ｓ１−２でＹＥＳ）、出力可否判定部１０３は、以下の判定処理を実行する。すなわち、出力可否判定部１０３は、コンテンツ映像１２１を表示部１３に表示させた場合のコンテンツ映像１２１の横及び縦の画素数を、許可画素数１２２と比較する（Ｓ２及びＳ３）。具体的には、Ｘｏｕｔ＜Ｘｏｕｔ_ＭＡＸ（Ｓ２でＹＥＳ）であって、かつＹｏｕｔ＜Ｙｏｕｔ_ＭＡＸ（Ｓ３でＹＥＳ）である場合に、出力可否判定部１０３は、出力部１４に、テレビ２へのコンテンツ映像１２１を含むデータの出力を許可する（Ｓ４）。出力が許可されると、出力部１４は、表示部１３全体に表示される、コンテンツ映像１２１を一部に含む画像を、表示制御部１０２から取得し、該画像をテレビ２に出力する（Ｓ５）。ＸｏｕｔがＸｏｕｔ_ＭＡＸ以上であり（Ｓ２でＮＯ）、またはＹｏｕｔがＹｏｕｔ_ＭＡＸ以上である（Ｓ３でＮＯ）場合、出力可否判定部１０３はコンテンツ映像１２１の出力を禁止する（Ｓ６）。テレビ２は、スマートフォン１の出力部１４から、表示部１３全体に表示される、コンテンツ映像１２１を一部に含む画像を受信する（ＳＴ１）。そして、テレビ２は、スマートフォン１がコンテンツ映像１２１を表示部１３に表示させた場合に表示部１３全体に表示される画像を、表示画面１９に表示する（ＳＴ２）。
【００１６】
例えば、コンテンツ映像１２１の許可画素数１２２が（Ｘｏｕｔ_ＭＡＸ,Ｙｏｕｔ_ＭＡＸ）＝（４００，２００）であり、表示部１３全体に表示される画像の画素数が（ＸＭＯ，ＹＭＯ）＝（５００，３００）であり、表示部１３に表示されるコンテンツ映像１２１の画素数が（Ｘｏｕｔ，Ｙｏｕｔ）＝（３５０，１８０）である場合、スマートフォン１は以下の判定を行う。すなわち、「５００＞４００」であり、また「３００＞２００」であるため、表示部１３全体に表示される画像の画素数は許可画素数１２２より大きいが、「３５０＜４００」であり、かつ「１８０＜２００」であるため、表示部１３に表示されるコンテンツ映像１２１の画像の画素数は許可画素数１２２より小さい。従って、出力可否判定部１０３は、コンテンツ映像１２１を含むデータのテレビ２への出力を許可し、出力部１４は、コンテンツ映像１２１を含む、表示部１３全体に表示される画像を、テレビ２に出力する。
【００１７】
〔実施形態２〕
本発明の他の実施形態について、図４、５に基づいて説明すれば、以下のとおりである。なお、説明の便宜上、上記実施形態にて説明した部材と同じ機能を有する部材及び同一の処理については、同じ符号を付記し、その説明を省略する。図４は、本実施形態に係る表示管理システム２００の要部構成を示す機能ブロック図である。図示の通り、表示管理システム２００は、スマートフォン３（携帯情報端末）及びテレビ４（外部表示装置）を含む。表示管理システム２００の概要について説明しておけば、以下の通りである。すなわち、スマートフォン３は、テレビ４が、自装置の表示画面１９に表示させるコンテンツのサイズを管理するサイズ管理機能を備えているかを確認する。テレビ４がサイズ管理機能を備えていると判定した場合にのみ、スマートフォン３は、コンテンツ映像１２１と、コンテンツ映像１２１の許可画素数１２２とを、テレビ４に出力する。テレビ４は、スマートフォン３からコンテンツ映像１２１及び許可画素数１２２を受信すると、以下の判定を行う。すなわち、コンテンツ映像１２１を表示画面１９に表示させた場合のコンテンツ映像１２１の画像の画素数が許可画素数１２２以上である場合、コンテンツ映像１２１の表示は禁止されると判定する。図４に示す通り、本実施の形態に係るスマートフォン３は、スマートフォン１と以下の点で異なる。すなわち、スマートフォン３は、スマートフォン１の表示画素数取得部１０４に代えて、機能取得部１０５を備える。機能取得部１０５は、テレビ４が有する機能に係る情報である機能情報を、より具体的に言えば、テレビ４が自装置の表示画面１９に表示させるコンテンツのサイズを管理するサイズ管理機能を備えているか否かを示す情報を、要求する信号をテレビ４に送信する。また、機能取得部１０５は、テレビ４から上記機能情報を取得し、出力可否判定部１０６に上記機能情報を通知する。スマートフォン３の出力可否判定部１０６は、テレビ４がサイズ管理機能を備えていない場合、コンテンツ映像１２１のテレビ４への出力を禁止する。出力可否判定部１０６によって出力が許可されると、出力部１４は、コンテンツ映像１２１に係るデータを、テレビ４に出力する。本実施の形態において出力部１４は、コンテンツ映像１２１とコンテンツ映像１２１の許可画素数１２２とを、テレビ４に出力する。
【００１８】
本実施の形態に係るテレビ４は、データ取得部１５、画面出力制御部１６、機能報告部１７、表示可否判定部１８、及び表示画面１９を備える。データ取得部１５は、スマートフォン３から、コンテンツ映像１２１に係るデータを取得する。本実施の形態においてデータ取得部１５は、コンテンツ映像１２１と、コンテンツ映像１２１の許可画素数１２２とを取得する。画面出力制御部１６は、データ取得部１５の取得する、コンテンツ映像１２１に係るデータに基づいて、表示画面１９に、コンテンツ映像１２１を含む画像を表示する。また、画面出力制御部１６は、表示画面１９に表示するコンテンツ映像１２１のサイズを管理するサイズ管理機能を備えている。機能報告部１７は、スマートフォン３から上記機能情報を要求する信号を受信し、テレビ４の機能情報を、つまり、テレビ４がサイズ管理機能を備えているかを、スマートフォン３に報告する。表示可否判定部１８は、画面出力制御部１６によって表示画面１９に表示されるコンテンツ映像１２１の画像の画素数が、コンテンツ映像１２１の許可画素数１２２以上である場合、コンテンツ映像１２１表示を禁止する。具体的には、画面出力制御部１６が表示画面１９にコンテンツ映像１２１を表示することを禁止する。表示画面１９は、画面出力制御部１６による制御に基づいて、コンテンツ映像１２１を含む画像を表示する。
【００１９】
図５に示すフローを用いて、表示管理システム２００による、テレビ４でのコンテンツ映像１２１の表示の可否判定に関する処理の一例を説明する。スマートフォン３が、自端末の表示部１３にコンテンツ映像１２１を表示させていない場合（Ｓ２１でＮＯ）、スマートフォン３はテレビ４に、コンテンツ映像１２１を含むデータを出力することはなく、テレビ４は、コンテンツ映像１２１を表示しない。他方、スマートフォン３が、自端末の表示部１３にコンテンツ映像１２１を表示させている場合（Ｓ２１でＹＥＳ）、スマートフォン３は、テレビ４が、表示画面１９に表示させるコンテンツのサイズを管理するサイズ管理機能を備えているか否かを示す機能情報を要求する信号を、テレビ４に送信する（Ｓ２２）。上記機能情報を要求する信号を受信すると（ＳＴ２１）、テレビ４は、スマートフォン３に、自装置の機能情報を送信する（ＳＴ２２）。テレビ４からテレビ４の機能情報を受信すると（Ｓ２３）、スマートフォン３は、テレビ４がサイズ管理機能を備えているかを確認する（Ｓ２４）。テレビ４がサイズ管理機能を備えていない場合（Ｓ２４でＮＯ）、出力可否判定部１０６は、出力部１４に、コンテンツ映像１２１を含むデータをテレビ４に出力することを禁止する（Ｓ２７）。テレビ４がサイズ管理機能を備えていることを確認すると（Ｓ２４でＹＥＳ）、出力可否判定部１０６は出力を許可し（Ｓ２５）、出力部１４は、コンテンツ映像１２１と、許可画素数１２２とをテレビ４に出力する。
【００２０】
テレビ４は、コンテンツ映像１２１及び許可画素数１２２を、スマートフォン３から受信すると（ＳＴ２３）、以下の判定を実行する。すなわち、テレビ４は、先ず、スマートフォン３からのデータ取得が成功したか否かを判定する（ＳＴ２４）。スマートフォン３からのデータ取得が失敗した場合（ＳＴ２４でＮＯ）、テレビ４は判定処理を中止する。スマートフォン３からのデータ取得が成功した場合（ＳＴ２４でＹＥＳ）、テレビ４は、コンテンツ映像１２１を表示画面１９に表示させた場合のコンテンツ映像１２１の画像の画素数と、許可画素数１２２とを比較する（ＳＴ２５及び２６）。具体的には、表示可否判定部１８は、先ず、画面出力制御部１６から、画面出力制御部１６がコンテンツ映像１２１を表示画面１９に表示させた場合の、コンテンツ映像１２１の画像の画素数を取得する。次に、表示可否判定部１８は、コンテンツ映像１２１の画像の上記画素数と、コンテンツ映像１２１の許可画素数１２２とを比較する。画面出力制御部１６によって表示画面１９に表示されるコンテンツ映像１２１の画像の画素数が許可画素数１２２より小さい場合、すなわち、Ｘｏｕｔ_ＴＶ＜Ｘｏｕｔ_ＭＡＸ（ＳＴ２５でＹＥＳ）であって、かつＹｏｕｔ_ＴＶ＜Ｙｏｕｔ_ＭＡＸ（ＳＴ２６でＹＥＳ）である場合、表示可否判定部１８は、コンテンツ映像１２１の表示を許可する（ＳＴ２７）。表示可否判定部１８による許可に基づき、画面出力制御部１６は、コンテンツ映像１２１を表示画面１９に表示する（ＳＴ２８）。Ｘｏｕｔ_ＴＶがＸｏｕｔ_ＭＡＸ以上であり（ＳＴ２５でＮＯ）、またはＹｏｕｔ_ＴＶがＹｏｕｔ_ＭＡＸ以上である（ＳＴ２６でＮＯ）場合、表示可否判定部１８は、表示画面１９にコンテンツ映像１２１を表示することを禁止する（ＳＴ２９）。例えば、スマートフォン３から、コンテンツ映像１２１の許可画素数１２２として（Ｘｏｕｔ_ＭＡＸ,Ｙｏｕｔ_ＭＡＸ）＝（４００，２００）と、コンテンツ映像１２１とを受信すると、テレビ４は以下の比較を行う。すなわち、コンテンツ映像１２１を表示画面１９に表示させた場合のコンテンツ映像１２１の画像の画素数と、許可画素数１２２とを比較する。ここで、表示画面１９に表示させた場合のコンテンツ映像１２１の画像の画素数が（Ｘｏｕｔ_ＴＶ，Ｙｏｕｔ_ＴＶ）＝（３５０，１８０）である場合、「３５０＜４００」であり、かつ「１８０＜２００」であるため、表示画面１９に表示させた場合のコンテンツ映像１２１の画像の画素数は許可画素数１２２より小さい。従って、表示可否判定部１８は、コンテンツ映像１２１の表示を許可する。
【００２１】
なお、スマートフォン３は、コンテンツ映像１２１を自端末の表示部１３に表示させずに、テレビ４に、コンテンツ映像１２１を含むデータを出力することの可否を判定することもできる。その場合、Ｓ２１に係る判定処理を省略し、Ｓ２２からの処理を実行する。
【００２２】
〔実施形態３〕
本発明の他の実施形態について、図６、７に基づいて説明すれば、以下のとおりである。なお、説明の便宜上、上記実施形態にて説明した部材と同じ機能を有する部材及び同一の処理については、同じ符号を付記し、その説明を省略する。図６に示す通り、本実施の形態に係るスマートフォン５は、テレビ６がサイズ管理機能を備えていない場合、コンテンツ映像１２１のテレビ６への出力を禁止する点はスマートフォン３と同様だが、以下の点でスマートフォン３と異なる。すなわち、スマートフォン３は、テレビ４がサイズ管理機能を備えているのを確認すると、コンテンツ映像１２１とコンテンツ映像１２１の許可画素数１２２とを、テレビ４に出力した。これに対し、テレビ６がサイズ管理機能を備えているのを確認した時にスマートフォン５がテレビ６に出力するのは、以下のデータである。すなわち、コンテンツ映像１２１の許可画素数１２２と、コンテンツ映像１２１を表示部１３に表示させた場合に表示部１３全体に表示される画像と、表示部１３全体に表示される画像に対してコンテンツ映像１２１の画像が占める割合とを出力する。また、本実施の形態に係るテレビ６は、テレビ４と以下の点で異なる。すなわち、テレビ４の表示可否判定部１８は、表示画面１９に表示した場合のコンテンツ映像１２１の画像の画素数と、許可画素数１２２とを比較して、コンテンツ映像１２１の表示可否を判定した。これに対し、テレビ６の表示可否判定部２１は、許可画素数１２２と、以下の値とを比較して、コンテンツ映像１２１の表示可否を判定する。すなわち、スマートフォン５の表示部１３全体に表示される画像を自装置の表示画面１９に表示させた場合の該画像の画素数に、表示部１３全体に表示される画像に対してコンテンツ映像１２１の画像が占める割合を乗じた値と、許可画素数１２２とを比較して判定する。
【００２３】
図７に示すフローを用いて、表示管理システム３００による、テレビ６でのコンテンツ映像１２１の表示の可否判定に関する処理の一例を説明する。なお、スマートフォン５によるＳ３１〜３５及びＳ３７の処理は、スマートフォン３によるＳ２１〜２５及びＳ２７の処理と同様であるため、説明を省略する。また、テレビ６によるＳＴ３１〜３４の処理は、テレビ４によるＳ２１〜２４の処理と同様であるため、説明を省略する。上記のように、表示可否判定部２１によって、テレビ６への、コンテンツ映像１２１を含むデータの出力が許可されると、スマートフォン５は、コンテンツ映像１２１の許可画素数１２２と、コンテンツ映像１２１を表示部１３に表示させた場合に表示部１３全体に表示される画像と、表示部１３全体に表示される画像に対してコンテンツ映像１２１の画像が占める割合とを、テレビ６に出力する（Ｓ３６）。ここで、コンテンツ映像１２１をスマートフォン５の表示部１３に表示させた場合に表示部１３全体に表示される画像に対してコンテンツ映像１２１の画像が占める割合は、表示部１３全体に表示される画像の長辺に対するコンテンツ映像１２１の画像の長辺の割合と、表示部１３全体に表示される画像の短辺に対するコンテンツ映像１２１の画像の短辺の割合とによって示すことができ、例えば、（Ｘｒａｔｉｏ，Ｙｒａｔｉｏ）＝（０．７，０．６）といった形式で示すことができる。この（Ｘｒａｔｉｏ，Ｙｒａｔｉｏ）＝（０．７，０．６）という例は、コンテンツ映像１２１の画像の長辺は、表示部１３全体に表示される画像の長辺の７０％の長さであり、コンテンツ映像１２１の画像の短辺は、表示部１３全体に表示される画像の短辺の６０％の長さであることを示す。コンテンツ映像１２１の許可画素数１２２と、コンテンツ映像１２１を表示部１３に表示させた場合に表示部１３全体に表示される画像と、表示部１３全体に表示される画像に対してコンテンツ映像１２１の画像が占める割合との取得が成功すると、テレビ６は以下の判定処理を実行する。すなわち、表示可否判定部２１は、表示部１３全体に表示される画像を表示画面１９に表示させた場合の該画像の画素数に、表示部１３全体に表示される画像に対してコンテンツ映像１２１の画像が占める割合を乗じた値と、許可画素数１２２とを比較する。ここで、スマートフォン５の表示部１３全体に表示される画像を表示画面１９に表示させた場合の該画像の画素数を（ＸＭＯ＿ＴＶ，ＹＭＯ＿ＴＶ）とすると、表示可否判定部２１は、具体的には、以下の判定を行う。すなわち、表示部１３全体に表示される画像を表示画面１９に表示させた場合の該画像の画素数に、表示部１３全体に表示される画像に対してコンテンツ映像１２１の画像が占める割合を乗じた値が、許可画素数１２２より小さい場合、つまりＸＭＯ＿ＴＶ×Ｘｒａｔｉｏ＜Ｘｏｕｔ_ＭＡＸ（ＳＴ３５でＹＥＳ）であって、かつＹＭＯ＿ＴＶ×Ｙｒａｔｉｏ＜Ｙｏｕｔ_ＭＡＸ（ＳＴ３６でＹＥＳ）である場合、表示可否判定部２１は、コンテンツ映像１２１を含む画像の表示を許可する（ＳＴ３７）。表示可否判定部２１による許可に基づき、画面出力制御部２０は、コンテンツ映像１２１の画像を含む、表示部１３全体に表示される画像を、表示画面１９に表示する（ＳＴ３８）。ＸＭＯ＿ＴＶ×ＸｒａｔｉｏがＸｏｕｔ_ＭＡＸ以上であり（ＳＴ３５でＮＯ）、またはＹＭＯ＿ＴＶ×ＹｒａｔｉｏがＹｏｕｔ_ＭＡＸ以上である（ＳＴ３６でＮＯ）場合、表示可否判定部２１は、コンテンツ映像１２１を含む画像の表示を禁止する（ＳＴ３９）。例えば、スマートフォン５から、コンテンツ映像１２１の許可画素数１２２である（Ｘｏｕｔ_ＭＡＸ,Ｙｏｕｔ_ＭＡＸ）＝（４００，２００）と、コンテンツ映像１２１をスマートフォン５の表示部１３に表示させた場合に表示部１３全体に表示される画像と、表示部１３全体に表示される画像に対してコンテンツ映像１２１の画像が占める割合である（Ｘｒａｔｉｏ，Ｙｒａｔｉｏ）＝（０．７，０．６）とを受信すると、テレビ６は以下の判定を行う。すなわち、例えば、表示部１３全体に表示される画像を表示画面１９に表示させた場合の該画像の画素数が（ＸＭＯ＿ＴＶ，ＹＭＯ＿ＴＶ）＝（５００，３００）であった場合、「５００×０・７＝３５０＜４００」であり、かつ「３００×０．６＝１８０＜２００」であるため、表示可否判定部２１は、コンテンツ映像１２１の表示を許可する。
【００２４】
なお、スマートフォン５は、コンテンツ映像１２１を表示部１３に表示せずに、テレビ６にコンテンツ映像１２１を含むデータを出力してもよい。その場合、Ｓ３１に係る判定処理を省略し、Ｓ３２からの処理を実行する。すなわち、スマートフォン５は、テレビ６がサイズ管理機能を有することを確認した場合には、テレビ６に、コンテンツ映像１２１を表示部１３に表示させた場合に表示部１３全体に表示される画像と、表示部１３全体に表示される画像に対してコンテンツ映像１２１の画像が占める割合とを送信できればよいのであって、送信の際にコンテンツ映像１２１を表示部１３に表示していなくともよい。
【００２５】
〔実施形態４〕
本発明の他の実施形態について、図８、９に基づいて説明すれば、以下のとおりである。なお、説明の便宜上、上記実施形態にて説明した部材と同じ機能を有する部材及び同一の処理については、同じ符号を付記し、その説明を省略する。図８に示す通り、本実施の形態に係るスマートフォン７は、テレビ８がサイズ管理機能を備えていない場合、コンテンツ映像１２１のテレビ８への出力を禁止する点はスマートフォン３と同様だが、以下の点でスマートフォン３と異なる。すなわち、スマートフォン３は、テレビ４がサイズ管理機能を備えているのを確認すると、コンテンツ映像１２１とコンテンツ映像１２１の許可画素数１２２とを、テレビ４に出力した。これに対し、テレビ８がサイズ管理機能を備えているのを確認した時にスマートフォン７がテレビ８に出力するのは以下のデータである。すなわち、コンテンツ映像１２１の許可画素数１２２と、コンテンツ映像１２１を表示部１３に表示させた場合に表示部１３全体に表示される画像と、表示部１３全体に表示される画像におけるコンテンツ映像１２１の画像の表示開始位置及び表示終了位置とを出力する。また、本実施の形態に係るテレビ８は、テレビ４と以下の点で異なる。すなわち、テレビ４の表示可否判定部１８は、表示画面１９に表示した場合のコンテンツ映像１２１の画素数と、許可画素数１２２とを比較して、コンテンツ映像１２１の表示可否を判定した。これに対しテレビ８の表示可否判定部２３は、許可画素数１２２と以下の値とを比較して、コンテンツ映像１２１の表示可否を判定する。すなわち、表示部１３全体に表示される画像を自装置の表示画面１９に表示させた場合の該画像における、上記表示開始位置及び表示終了位置によって指定される領域の画素数と、許可画素数１２２とを比較して判定する。なお、スマートフォン７は、スマートフォン５と異なり、出力が禁止される場合には、コンテンツ映像１２１の画像だけを出力しなく、コンテンツ映像１２１の画像を抜いた、表示部１３全体に表示される画像はテレビ８に出力する、としてもよい。その場合、テレビ８は、コンテンツ映像１２１の画像を抜いた、表示部１３全体に表示される画像を表示画面１９に表示し、コンテンツ映像１２１の画像を表示しない。
【００２６】
図９に示すフローを用いて、表示管理システム４００による、テレビ８でのコンテンツ映像１２１の表示の可否判定に関する処理の一例を説明する。なお、スマートフォン７によるＳ４１〜４５及びＳ４７の処理は、スマートフォン３によるＳ２１〜２５及びＳ２７の処理と同様であるため、説明を省略する。また、テレビ８によるＳＴ４１〜４４の処理は、テレビ４によるＳ２１〜２４の処理と同様であるため、説明を省略する。上記のように、表示可否判定部２３によって、テレビ８への、コンテンツ映像１２１を含むデータの出力が許可されると、スマートフォン７は、コンテンツ映像１２１の許可画素数１２２と、コンテンツ映像１２１を表示部１３に表示させた場合に表示部１３全体に表示される画像と、表示部１３全体に表示される画像におけるコンテンツ映像１２１の画像の表示開始位置及び表示終了位置とを、テレビ８に出力する（Ｓ４６）。ここで、コンテンツ映像１２１をスマートフォン７の表示部１３に表示させた場合に表示部１３全体に表示される画像においてコンテンツ映像１２１の画像の表示が開始される位置である表示開始位置及び表示が終了する位置である表示終了位置は、以下のように示すことができる。すなわち、表示部１３全体に表示される画像について、表示部１３の左上から右下に画像を表示していくとして、表示部１３全体に表示される画像の左上の点を原点とし、右側をＸ軸（長辺）の正方向、下側をＹ軸（短辺）の正方向であるとする。また、表示部１３全体に表示される画像上の任意の点について、該画像の長辺の長さを１とした場合の該画像の左辺から該任意の点までの距離を該任意の点のＸ座標とし、該画像の短辺の長さを１とした場合の該画像の上辺から該任意の点までの距離を該任意の点のＹ座標とする。この場合、表示部１３全体に表示される画像の右上の点の座標を（１，０）、左下の点の座標を（０，１）と示すことができる。同様に、コンテンツ映像１２１をスマートフォン７の表示部１３に表示させた場合に表示部１３全体に表示される画像における、コンテンツ映像１２１の表示開始位置を、例えば、（ＸＳ_ＰＯＳ，ＹＳ_ＰＯＳ）＝（０．２，０．１）と示し、表示終了位置を（ＸＥ_ＰＯＳ，ＹＥ_ＰＯＳ）＝（０．９，０．７）と示すことができる。
【００２７】
コンテンツ映像１２１の許可画素数１２２と、コンテンツ映像１２１を表示部１３に表示させた場合に表示部１３全体に表示される画像と、表示部１３全体に表示される画像におけるコンテンツ映像１２１の画像の表示開始位置及び表示終了位置との取得が成功すると、テレビ８は以下の判定処理を実行する。すなわち、表示可否判定部２３は、スマートフォン７の表示部１３に表示される画像を表示画面１９に表示させた場合の該画像における、上記表示開始位置及び表示終了位置によって指定される領域の画素数と、許可画素数１２２とを比較する。ここで、スマートフォン７の表示部１３全体に表示される画像を表示画面１９に表示させた場合の該画像の画素数を（ＸＭＯ＿ＴＶ，ＹＭＯ＿ＴＶ）とすると、該画像において上記表示開始位置及び表示終了位置によって指定される領域の長辺の画素数は、ＸＭＯ＿ＴＶ×（ＸＥ_ＰＯＳ−ＸＳ_ＰＯＳ）によって算出できる。同様に、上記画像において上記表示開始位置及び表示終了位置によって指定される領域の短辺の画素数は、ＹＭＯ＿ＴＶ×（ＹＥ_ＰＯＳ−ＹＳ_ＰＯＳ）によって算出できる。従って、表示部１３全体に表示される画像を表示画面１９に表示させた場合の該画像における、上記表示開始位置及び表示終了位置によって指定される領域の画素数が、許可画素数１２２より小さい場合、すなわち、ＸＭＯ＿ＴＶ×（ＸＥ_ＰＯＳ−ＸＳ_ＰＯＳ）＜Ｘｏｕｔ_ＭＡＸ（ＳＴ４５でＹＥＳ）であって、かつＹＭＯ＿ＴＶ×（ＹＥ_ＰＯＳ−ＹＳ_ＰＯＳ）＜Ｙｏｕｔ_ＭＡＸ（ＳＴ４６でＹＥＳ）である場合、表示可否判定部２３は、コンテンツ映像１２１を含む画像の表示を許可する（ＳＴ４７）。表示可否判定部２３による許可に基づき、画面出力制御部２２は、コンテンツ映像１２１を含む、表示部１３全体に表示された画像を表示画面１９に表示する（ＳＴ４８）。ＸＭＯ＿ＴＶ×（ＸＥ_ＰＯＳ−ＸＳ_ＰＯＳ）がＸｏｕｔ_ＭＡＸ以上である（ＳＴ４５でＮＯ）場合、またはＹＭＯ＿ＴＶ×（ＹＥ_ＰＯＳ−ＹＳ_ＰＯＳ）がＹｏｕｔ_ＭＡＸ以上である（ＳＴ４６でＮＯ）である場合、表示可否判定部２３は、コンテンツ映像１２１を含む画像の表示を禁止する（ＳＴ４９）。例えば、スマートフォン７から、コンテンツ映像１２１の許可画素数１２２である（Ｘｏｕｔ_ＭＡＸ,Ｙｏｕｔ_ＭＡＸ）＝（４００，２００）と、コンテンツ映像１２１をスマートフォン７の表示部１３に表示させた場合に表示部１３全体に表示される画像と、コンテンツ映像１２１をスマートフォン７の表示部１３に表示させた場合に表示部１３全体に表示される画像における、コンテンツ映像１２１の画像の表示開始位置及び表示終了位置である（ＸＳ_ＰＯＳ，ＹＳ_ＰＯＳ）＝（０．２，０．１）及び（ＸＥ_ＰＯＳ，ＹＥ_ＰＯＳ）＝（０．９，０．７）と、を受信すると、テレビ８は以下の判定を行う。すなわち、例えば、表示部１３全体に表示される画像を表示画面１９に表示させた場合の該画像の画素数が（ＸＭＯ＿ＴＶ，ＹＭＯ＿ＴＶ）＝（５００，３００）であった場合、「５００×（０．９−０．２）＝３５０＜４００」であり、かつ「３００×（０．７−０．１）＝１８０＜２００」であるため、表示可否判定部２３は、コンテンツ映像１２１の表示を許可する。
【００２８】
なお、スマートフォン７は、コンテンツ映像１２１を表示部１３に表示せずに、テレビ８にコンテンツ映像１２１を含むデータを出力してもよい。その場合、Ｓ４１に係る判定処理を省略し、Ｓ４２からの処理を実行する。スマートフォン７は、テレビ８がサイズ管理機能を有することを確認した場合、テレビ８に、コンテンツ映像１２１を表示部１３に表示させた場合に表示部１３全体に表示される画像と、表示部１３全体に表示される画像における、コンテンツ映像１２１の表示開始位置及び表示終了位置とを送信できればよいのであって、送信の際にコンテンツ映像１２１を表示部１３に表示していなくともよい。
【００２９】
〔ソフトウェアによる実現例〕
スマートフォン１、３、５、７の許可画素数取得部１０１、表示制御部１０２、表示画素数取得部１０４、機能取得部１０５、及び出力可否判定部１０３、１０６は、集積回路（ＩＣチップ）等に形成された論理回路（ハードウェア）によって実現してもよいし、ＣＰＵ（Central Processing Unit）を用いてソフトウェアによって実現してもよい。同様に、テレビ４、６、８の画面出力制御部１６、２０、２２、及び表示可否判定部１８、２１、２３は、集積回路（ＩＣチップ）等に形成された論理回路（ハードウェア）によって実現してもよいし、ＣＰＵ（Central Processing Unit）を用いてソフトウェアによって実現してもよい。後者の場合、スマートフォン１、３、５、７、及びテレビ４、６、８は、各機能を実現するソフトウェアであるプログラムの命令を実行するＣＰＵ、上記プログラム及び各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）等を備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路等を用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。なお、上記各実施の形態ではスマートフォン及びテレビを例に説明したが、これに限られる事は無く、本願は携帯情報端末及び外部表示装置全般に対しても適用が可能である。
【００３０】
〔まとめ〕
本発明の態様１に係る携帯情報端末（スマートフォン１）は、自端末の画面（表示部１３）に表示すべき、一部にコンテンツ（コンテンツ映像１２１）を含む画像を外部表示装置（テレビ２）に出力して表示させる携帯情報端末であって、上記コンテンツについて外部表示装置での表示が許可されている画素数である許可画素数（１２２）を取得する許可画素数取得手段（許可画素数取得部１０１）と、上記コンテンツを自端末の画面（表示部１３）に表示させる場合の上記コンテンツの画像の画素数である表示画素数を取得する表示画素数取得手段（表示画素数取得部１０４）と、上記表示画素数取得手段によって取得する上記表示画素数が、上記許可画素数取得手段によって取得する上記許可画素数以上である場合、上記コンテンツの上記外部表示装置への出力を禁止する出力可否判定手段（出力可否判定部１０３）と、を備えている。
【００３１】
上記の構成によれば、コンテンツに、外部表示装置への出力に際しての解像度の制限を設定し、当該コンテンツを、携帯情報端末と外部表示装置との間で、どのように取り扱うかを具体的に開示することができる。また、上記携帯情報端末は、自端末の画面全体に表示される画像の画素数ではなく、自端末の画面に表示されるコンテンツの画像の画素数に基づいて、該コンテンツを含むデータの外部表示装置への出力可否を判定する。ここで、自端末の画面全体に表示される画像の画像サイズ（画素数）と、コンテンツの許可画素数とを比較して、自端末が取得したコンテンツの外部表示装置への出力可否を判定する場合、自端末の画面の一部に表示するコンテンツの画像サイズが該コンテンツの許可画素数未満であっても、自端末の画面全体の画素数が該許可画素数以上であると、出力不可と判定してしまう。これに対し、上記携帯情報端末は、外部表示装置に出力しようとするコンテンツについて、該コンテンツを自端末の画面に表示させる場合の該コンテンツの画像の画素数が、該コンテンツの許可画素数未満であれば、自端末の画面全体に表示される画像の画素数が該許可画素数以上であっても、該コンテンツを含むデータを該外部表示装置に出力して、該コンテンツを該外部表示装置に表示させることができる。
【００３２】
本発明の態様２に係る表示管理システム（表示管理システム２００、３００、４００）は、携帯情報端末（スマートフォン３、５、７）と、該携帯情報端末からコンテンツ（コンテンツ映像１２１）を含むデータを取得して自装置の表示画面（１９）に該コンテンツを表示させる外部表示装置（テレビ２、４、６）とを含む表示管理システムであって、上記携帯情報端末は、上記外部表示装置が自装置の表示画面に表示させるコンテンツの画像サイズを管理するサイズ管理機能を備えていないと判定すると、上記データの上記外部表示装置への出力を禁止し、上記外部表示装置は、自装置の表示画面で表示させた場合の上記コンテンツの画像の画素数が上記コンテンツについて外部表示装置での表示が許可されている画素数である許可画素数（１２２）以上であると、上記コンテンツを表示しない。
【００３３】
上記の構成によれば、コンテンツに、外部表示装置への出力に際しての解像度の制限を設定し、当該コンテンツを、携帯情報端末と外部表示装置との間で、どのように取り扱うかを具体的に開示することができる。
【００３４】
本発明の態様３に係る表示管理システム（２００）の含む上記携帯情報端末（スマートフォン３）が上記外部表示装置（テレビ４）に出力する上記データは、上記態様２において、上記コンテンツと上記コンテンツの上記許可画素数とであってもよい。
【００３５】
上記の構成によれば、上記外部表示装置は、上記携帯情報端末から取得する、上記コンテンツと上記コンテンツの上記許可画素数とに基づいて、自装置の表示画面に上記コンテンツを表示することの可否を判定することができる。
【００３６】
本発明の態様４に係る表示管理システム（３００）の含む上記携帯情報端末（スマートフォン５）が上記外部表示装置（テレビ６）に出力する上記データは、上記態様２において、上記コンテンツの上記許可画素数と、上記コンテンツを上記携帯情報端末の画面に表示させた場合に該画面の全体に表示される画像と、該画面の全体に表示される画像に対して上記コンテンツの画像が占める割合と、であり、上記外部表示装置は、上記携帯情報端末から上記データを取得すると、上記携帯情報端末の画面の全体に表示される上記画像を自装置の表示画面に表示させた場合の該画像の画素数に上記割合を乗じた値が上記許可画素数以上である場合、上記コンテンツを表示しない、としてもよい。
【００３７】
上記の構成によれば、上記外部表示装置は、上記携帯情報端末から取得する、上記コンテンツの上記許可画素数と、上記コンテンツを上記携帯情報端末の画面に表示させた場合に該画面の全体に表示される画像と、該画面の全体に表示される画像に対して上記コンテンツの画像が占める割合とに基づいて、自装置の表示画面に上記コンテンツを表示することの可否を判定することができる。
【００３８】
本発明の態様５に係る表示管理システム（４００）の含む上記携帯情報端末（スマートフォン７）が上記外部表示装置（テレビ８）に出力する上記データは、上記態様２において、上記コンテンツの上記許可画素数と、上記コンテンツを上記携帯情報端末の画面に表示させた場合に該画面の全体に表示される画像と、該画面の全体に表示される画像において上記コンテンツの画像の表示が開始される位置である表示開始位置及び表示が終了する位置である表示終了位置とであり、上記外部表示装置は、上記携帯情報端末から上記データを取得すると、上記携帯情報端末の画面の全体に表示される上記画像を自装置の表示画面に表示させた場合の該画像における、上記表示開始位置及び表示終了位置によって指定される領域の画素数が、上記許可画素数以上である場合、上記コンテンツを表示しない、としてもよい。
【００３９】
上記の構成によれば、上記外部表示装置は、上記携帯情報端末から取得する、上記コンテンツの上記許可画素数と、上記コンテンツを上記携帯情報端末の画面に表示させた場合に該画面の全体に表示される画像と、該画面の全体に表示される画像において上記コンテンツの画像の表示が開始される位置である表示開始位置及び表示が終了する位置である表示終了位置とに基づいて、自装置の表示画面に上記コンテンツを表示することの可否を判定することができる。
【００４０】
本発明の各態様に係る携帯情報端末及び外部表示装置は、コンピュータによって実現してもよく、この場合には、コンピュータを携帯情報端末及び外部表示装置が備える各手段として動作させることにより上記携帯情報端末及び外部表示装置をコンピュータにて実現させる携帯情報端末及び外部表示装置の制御プログラム、及びそれを記録したコンピュータ読み取り可能な記録媒体も、本発明の範疇に入る。
【００４１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００４２】
本発明は、コンテンツの表示を制御する機器全般に利用することができる。
【符号の説明】
【００４３】
２００、３００、４００  表示管理システム
１、３、５、７  スマートフォン（携帯情報端末）
２、４、６、８  テレビ（外部表示装置）
１３  表示部（携帯情報端末の画面、自端末の画面）
１９  表示画面（自装置の表示画面）
１０１  許可画素数取得部（許可画素数取得手段）
１０３  出力可否判定部（出力可否判定手段）
１０４  表示画素数取得部（表示画素数取得手段）
１２１  コンテンツ映像（コンテンツ）
１２２  許可画素数
【図１】
2015055682.tif 000003
【図２】
2015055682.tif 000004
【図３】
2015055682.tif 000005
【図４】
2015055682.tif 000006
【図５】
2015055682.tif 000007
【図６】
2015055682.tif 000008
【図７】
2015055682.tif 000009
【図８】
2015055682.tif 000010
【図９】
2015055682.tif 000011